【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
アプリケーションに含まれるユーザ情報を隠すための方法であって：
アプリケーション内のメディアファイルの属性リストに対する操作権を取得するステップ（Ｓ１０１）と；
前記アプリケーション内の前記メディアファイルの前記属性リストを読み取り、前記アプリケーション内で生成されたユーザ情報を、前記メディアファイルの前記属性リストに書き込むステップ（Ｓ１０２）と；
前記メディアファイルを再保存するステップ（Ｓ１０３）と；を備える、
アプリケーションに含まれる情報を隠すための方法。
【請求項２】
前記ユーザ情報は取扱いに注意を要する秘密の情報を含む、
請求項１に記載の方法。
【請求項３】
前記アプリケーション内のメディアファイルの属性リストに対する操作権を取得するステップは：
前記アプリケーション内の前記メディアファイルのファイルハンドルを取得するステップと；
前記メディアファイルの前記ファイルハンドルを用いて、前記アプリケーション内の前記メディアファイルの前記属性リストに対する読み取り／書き込み許可を取得するステップと；を備える、
請求項１に記載の方法。
【請求項４】
前記アプリケーション内で生成されたユーザ情報を、前記メディアファイルの前記属性リストに書き込むステップは：
前記アプリケーション内で生成された前記ユーザ情報を、キー値ペアの形式で前記メディアファイルの前記属性リストに書き込むステップを備える、
請求項１に記載の方法。
【請求項５】
前記メディアファイルは、写真ファイル、音声ファイル、及び映像ファイルのいずれか１つを含む、
請求項１に記載の方法。
【請求項６】
前記ユーザ情報は、暗号化されたユーザ情報である、
請求項１に記載の方法。
【請求項７】
前記アプリケーション内で生成されたユーザ情報に対して論理処理を実行するステップを更に備え、
前記アプリケーション内の前記メディアファイルの前記属性リストを読み取り、前記アプリケーション内で生成されたユーザ情報を、前記メディアファイルの前記属性リストに書き込むステップは、
前記アプリケーション内の前記メディアファイルの前記属性リストを読み取り、前記アプリケーション内の論理処理されるユーザ情報を、前記メディアファイルの前記属性リストに書き込むステップを備える、
請求項１乃至請求項６のいずれか１項に記載の方法。
【請求項８】
前記アプリケーション内で生成されたユーザ情報に対して論理処理を実行するステップは：
前記アプリケーション内で生成された前記ユーザ情報に対して可逆的な論理処理を実行するステップを備える、
請求項７に記載の方法。
【請求項９】
前記アプリケーション内で生成されたユーザ情報に対して論理処理を実行するステップは：
対称暗号アルゴリズムを用いて前記アプリケーション内で生成された前記ユーザ情報に対して対称暗号化処理を実行するステップを備える、
請求項７に記載の方法。
【請求項１０】
異なるアプリケーションシナリオで生成されたユーザ情報を、異なるメディアファイルに書き込むステップと；
前記異なるメディアファイルを再保存するステップと；を更に備える、
請求項１乃至請求項９のいずれか１項に記載の方法。
【請求項１１】
前記メディアファイルを再保存するステップは、前記メディアファイルを前記アプリケーションのインストールパスに格納するステップを備える、
請求項１乃至請求項１０のいずれか１項に記載の方法。
【請求項１２】
アプリケーションに含まれるユーザ情報を隠すためのデバイスであって、請求項１乃至請求項１１のいずれか１項に記載の方法の動作を実行するように構成された複数のモジュールを備える、
アプリケーションに含まれるユーザ情報を隠すためのデバイス。
【手続補正２】
【補正対象書類名】明細書
【補正対象項目名】００７８
【補正方法】変更
【補正の内容】
【００７８】
上述のものは本願の一実施形態に過ぎず、本願を限定するものではない。当業者は、本願に様々な修正及び変更を加えることができる。本願の主旨及び原理から逸脱せずに為されるあらゆる修正、均等物による代替、改善は、本願の特許請求の範囲に含まれるものである。
以下、本発明の実施の態様の例を列挙する。
［第１の局面］
アプリケーションに含まれるユーザ情報を隠すための方法であって：
アプリケーション内のメディアファイルの属性リストに対する操作権を取得するステップと；
前記アプリケーション内の前記メディアファイルの前記属性リストを読み取り、前記アプリケーション内で生成されたユーザ情報を、前記メディアファイルの前記属性リストに書き込むステップと；
前記メディアファイルを再保存するステップと；を備える、
アプリケーションに含まれる情報を隠すための方法。
［第２の局面］
前記ユーザ情報は取扱いに注意を要する秘密の情報を含む、
第１の局面に記載の方法。
［第３の局面］
前記アプリケーション内のメディアファイルの属性リストに対する操作権を取得する前記ステップは：
前記アプリケーション内の前記メディアファイルのファイルハンドルを取得するステップと；
前記メディアファイルの前記ファイルハンドルを用いて、前記アプリケーション内の前記メディアファイルの前記属性リストに対する読み取り／書き込み許可を取得するステップと；を備える、
第１の局面に記載の方法。
［第４の局面］
前記アプリケーション内で生成されたユーザ情報を、前記メディアファイルの前記属性リストに書き込む前記ステップは：
前記アプリケーション内で生成された前記ユーザ情報を、キー値ペアの形式で前記メディアファイルの前記属性リストに書き込むステップを備える、
第１の局面に記載の方法。
［第５の局面］
前記メディアファイルは、写真ファイル、音声ファイル、及び映像ファイルを含む、
第１の局面に記載の方法。
［第６の局面］
前記ユーザ情報は、暗号化されたユーザ情報である、
第１の局面に記載の方法。
［第７の局面］
アプリケーションに含まれるユーザ情報を隠すための方法であって：
アプリケーション内のメディアファイルの属性リストに対する操作権を取得するステップと；
前記アプリケーション内で生成されたユーザ情報に対して論理処理を実行するステップと；
前記アプリケーション内の前記メディアファイルの前記属性リストを読み取り、前記アプリケーション内の論理処理されるユーザ情報を前記メディアファイルの前記属性リストに書き込むステップと；
前記メディアファイルを再保存するステップと；を備える、
アプリケーションに含まれる情報を隠すための方法。
［第８の局面］
前記ユーザ情報は取扱いに注意を要する秘密の情報を含む、
第７の局面に記載の方法。
［第９の局面］
前記アプリケーション内のメディアファイルの属性リストに対する操作権を取得する前記ステップは：
前記アプリケーション内の前記メディアファイルのファイルハンドルを取得するステップと；
前記メディアファイルの前記ファイルハンドルを用いて、前記アプリケーション内の前記メディアファイルの前記属性リストに対する読み取り／書き込み許可を取得するステップと；を備える、
第７の局面に記載の方法。
［第１０の局面］
前記アプリケーション内で生成されたユーザ情報を前記メディアファイルの属性リストに書き込む前記ステップは：
前記アプリケーション内で生成された前記ユーザ情報を、キー値ペアの形式で前記メディアファイルの前記属性リストに書き込むステップを備える、
第７の局面に記載の方法。
［第１１の局面］
前記メディアファイルは、写真ファイル、音声ファイル、及び映像ファイルを含む、
第７の局面に記載の方法。
［第１２の局面］
前記ユーザ情報は、暗号化されたユーザ情報である、
第７の局面に記載の方法。
［第１３の局面］
前記アプリケーション内で生成されたユーザ情報に対して論理処理を実行する前記ステップは：
前記アプリケーション内で生成された前記ユーザ情報に対して可逆的な論理処理を実行するステップを備える、
第７の局面に記載の方法。
［第１４の局面］
前記アプリケーション内で生成されたユーザ情報に対して論理処理を実行する前記ステップは：
対称暗号アルゴリズムを用いて前記アプリケーション内で生成された前記ユーザ情報に対して対称暗号化処理を実行するステップを備える、
第７の局面に記載の方法。
［第１５の局面］
アプリケーションに含まれるユーザ情報を隠すためのデバイスであって：
アプリケーション内のメディアファイルの属性リストに対する操作権を取得するように構成される取得モジュールと；
前記アプリケーション内の前記メディアファイルの前記属性リストを読み取り、前記アプリケーション内で生成されたユーザ情報を前記メディアファイルの前記属性リストに書き込むように構成される読み取り／書き込みモジュールと；
前記メディアファイルを再保存するように構成される保存モジュールと；を備える、
アプリケーションに含まれるユーザ情報を隠すためのデバイス。
［第１６の局面］
前記デバイスは：
前記アプリケーション内で生成された前記ユーザ情報に対して論理処理を実行するように構成される論理処理モジュールを更に備える、
第１５の局面に記載のデバイス。